(57)【要約】【課題】スライドイン表示された第二操作画面に含まれる第二操作部の誤操作を低減可能にすること。【解決手段】制御手段１８はさらに、入力／表示手段１６に表示された第一操作部のユーザ操作に応答して、複数の領域に区分された第二操作画面であって、各領域には同一種別に属する第二操作部を含む第二操作画面を、入力／表示手段１６にスライドイン表示する。制御手段１８はさらに、第二操作画面上でユーザが所定の操作を行うと、入力／表示手段１６におけるタッチ位置を特定し、特定したタッチ位置に基づいて、第二操作画面における所定種別以外の第二操作部をユーザの操作対象から外す。【選択図】図２
2016091517.tif 000002
【特許請求の範囲】
【請求項１】
入力／表示手段と、
ユーザが操作可能な第一操作部を含む第一操作画面を、前記入力／表示手段に表示させる制御手段と、を備えた入力／表示装置であって、
前記制御手段はさらに、
前記入力／表示手段に表示された第一操作部のユーザ操作に応答して、複数の領域に区分された第二操作画面であって、各領域には同一種別に属する第二操作部を含む第二操作画面を、前記入力／表示手段にスライドイン表示し、
前記第二操作画面上で前記ユーザが所定の操作を行うと、前記入力／表示手段におけるタッチ位置を特定し、特定したタッチ位置に基づいて、前記第二操作画面における所定種別以外の第二操作部を前記ユーザの操作対象から外す、入力／表示装置。
【請求項２】
前記所定の操作は、長押しまたはダブルタップである、請求項１に記載の入力／表示装置。
【請求項３】
各前記領域は矩形形状を有しており、
前記制御手段は、前記第二操作画面上での前記ユーザのタッチ位置と、各前記領域が有する一組みの対角に位置する頂点座標とに基づき、前記第二操作画面における所定種別を特定する、請求項１または２に記載の入力／表示装置。
【請求項４】
前記制御手段は、前記入力／表示手段におけるタッチ位置を複数特定すると、特定した複数のタッチ位置に基づいて、前記第二操作画面における複数の所定種別以外の第二操作部を前記ユーザの操作対象から外す、請求項１〜３のいずれかに記載の入力／表示装置。
【請求項５】
前記制御手段は、前記第二操作画面における所定種別以外の第二操作部の非表示、半透明表示、グレイアウトおよび操作を受け付けない、のいずれか一つを行うことで、前記ユーザの操作対象から外す、請求項１〜４のいずれかに記載の入力／表示装置。
【請求項６】
前記制御手段は、特定したタッチ位置に基づいて、前記第二操作画面における所定種別を特定できない場合、特定したタッチ位置から各領域までの距離に基づき、前記第二操作画面における所定種別を特定する、請求項１〜５のいずれかに記載の入力／表示装置。
【請求項７】
前記制御手段はさらに、前記所定種別以外の第二操作部を前記ユーザの操作対象から外した後、前記入力／表示手段が前記ユーザにより一定時間の間操作されなかった場合、前記所定種別以外の第二操作部を前記ユーザの操作対象とする、請求項１〜６のいずれかに記載の入力／表示装置。
【請求項８】
前記制御手段はさらに、前記所定種別以外の第二操作部を前記ユーザの操作対象から外した後、前記入力／表示手段に対し前記所定の操作が行われると、前記所定種別以外の第二操作部を前記ユーザの操作対象とする、請求項１〜６のいずれかに記載の入力／表示装置。
【請求項９】
請求項１〜８のいずれかに記載の入力／表示装置を備えた画像形成装置。
【発明の詳細な説明】
【技術分野】
【０００１】
本発明は、第一操作画面の表示後に、第二操作画面をスライドイン表示する入力／表示装置、およびこれを備えた画像形成装置に関する。
【背景技術】
【０００２】
近年、多くの機器（例えば、画像形成装置）には、タッチスクリーンやタッチパネルのような入力／表示装置が備わっている。入力／表示装置は、ユーザ操作に応答して、操作画面を切り替える（例えば、特許文献１，２を参照）。以下、従来の操作画面の切り替えを詳説する。
【０００３】
まず、第一操作画面が入力／表示手段のほぼ全域に表示される。第一操作画面は、例えば、画像形成装置内に蓄積された電子ファイルを選択可能な画面である。
【０００４】
また、入力／表示手段にはさらに、例えばタブのような第一操作部が表示される。第一操作部は、例えば、第一操作画面の中央方向にユーザによるスライド操作が可能に構成される。なお、第一操作部は、ユーザによるタップ操作が可能に構成されることもある。かかるユーザ操作に応答して、入力／表示手段には、第一操作画面上にスライドインし覆い被さるように第二操作画面が表示される。
【０００５】
第二操作画面は、複数の種別毎の領域に区画される。各領域には、予め定められた種別に属する複数の第二操作部が配置される。各第二操作部には、単一の機能が割り当てられる。かかる第二操作部はユーザにより操作（例えばタップ）され、これによって、ユーザが所望する機能が選択・特定される。
【先行技術文献】
【特許文献】
【０００６】
【特許文献１】特開２０１２−０６８７８５号公報
【特許文献２】特開２０１２−１０３６０２号公報
【発明の概要】
【発明が解決しようとする課題】
【０００７】
従来の第二操作画面では、多くの第二操作部がまとめて表示される。その結果、ユーザが第二操作部に割り当てられた機能を思い違いしてしまい、第二操作部を誤操作する可能性がある。以下、この課題の具体例を一つ挙げる。
【０００８】
例えば、ある種別に属する印刷倍率や印刷サイズを増減（アップダウン）させるプラスキーおよびマイナスキーと、別の種別に属するテンキーとが第二操作画面に一緒に表示される場合を想定する。この場合、ユーザは、例えば、プラスキーが足し算する役割を有し、マイナスキーを引き算する役割を有すると思い違いをして、誤操作してしまう可能性がある。
【０００９】
それゆえに、本発明の目的は、スライドイン表示された第二操作画面に含まれる第二操作部の誤操作を低減可能な入力／表示装置、およびこれを備えた画像形成装置を提供することである。
【課題を解決するための手段】
【００１０】
本発明の一形態は、入力／表示装置であって、入力／表示手段と、ユーザが操作可能な第一操作部を含む第一操作画面を、前記入力／表示手段に表示させる制御手段と、を備えている。
【００１１】
前記制御手段はさらに、前記入力／表示手段に表示された第一操作部のユーザ操作に応答して、複数の領域に区分された第二操作画面であって、各領域には同一種別に属する第二操作部を含む第二操作画面を、前記入力／表示手段にスライドイン表示する。
【００１２】
前記制御手段はさらに、前記第二操作画面上で前記ユーザが所定の操作を行うと、前記入力／表示手段におけるタッチ位置を特定し、特定したタッチ位置に基づいて、前記第二操作画面における所定種別以外の第二操作部を前記ユーザの操作対象から外す。
【００１３】
本発明の他の形態では、前記入力／表示装置は画像形成装置に用いられる。
【発明の効果】
【００１４】
上記形態によれば、第二操作画面のスライドイン表示後、ユーザが所定の操作を行うと、第二操作画面において所定種別以外の第二操作部はユーザ操作の対象から外される。これによって、スライドイン表示された第二操作画面に含まれる第二操作部の誤操作を低減可能な入力／表示装置、およびこれを備えた画像形成装置を提供することができる。
【図面の簡単な説明】
【００１５】
【図１】画像形成装置が接続されるネットワーク環境を示す模式図である。
【図２】図１の画像形成装置のハードウェア構成を示すブロック図である。
【図３】第一操作画面の表示から、第二操作画面をスライドイン表示へと遷移する様子を示す模式図である。
【図４】第二操作画面の表示制御を示すフロー図である。
【図５】二つの部分領域のタッチ操作後における第二操作画面を示す模式図である。
【図６】第二操作画面の各部分領域における対角位置にある頂点を示す模式図である。
【図７】第二操作画面の各部分領域のある頂点からｘ方向，ｙ方向への長さを示す模式図である。
【図８】種別の特定処理のより詳細な手順を示す第一フロー図である。
【図９】ユーザが複数の部分領域の間をタッチできていない様子を示す模式図である。
【図１０】種別の特定処理のより詳細な手順を示す第二フロー図である。
【図１１】タッチ位置から各部分領域が有する各頂点までの距離を示す模式図である。
【図１２】第二操作画面の表示制御の第一変形例を示すフロー図である。
【図１３】第二操作画面の表示制御の第二変形例を示すフロー図である。
【図１４】第二操作画面の表示制御の第三変形例を示すフロー図である。
【発明を実施するための形態】
【００１６】
以下、上記図面を参照して、入力／表示装置およびそれを備えた画像形成装置について詳説する。
【００１７】
《第１欄：ネットワーク環境の一例》
図１のネットワーク環境では、少なくとも一台の画像形成装置１（図示は二台）と、少なくとも一台のパーソナルコンピュータ２（図示は四台）とが、互いに通信可能に、例えばＬＡＮ、無線ＬＡＮのような第一ネットワーク３に接続される。また、第一ネットワーク３は、例えばインターネットのような第二ネットワーク４に接続され、これによって、画像形成装置１またはＰＣ２は、第二ネットワーク４に接続された機器とも通信可能となる。
【００１８】
《第２欄：操作／入力装置，画像形成装置の構成》
各画像形成装置１は、例えばプリンタ、ファクシミリ、コピー機またはこれらの機能を有する複合機である。かかる画像形成装置１は、図２に示すように、ネットワークＩＦ１１と、画像読取手段１２と、記憶手段１３と、プリンタコントローラ１４と、画像形成手段１５と、入力／表示手段１６と、入力手段１７と、制御手段１８と、を備える。また、本実施形態では、少なくとも入力／表示手段１６および制御手段１８は入力／表示装置１９の構成要素となっている。
【００１９】
ネットワークＩＦ１１は、例えば、ＬＡＮ用または無線ＬＡＮ用の入出力インターフェースである。かかるネットワークＩＦ１１は、ネットワーク３を介して、他の機器から送出されたデータを受信して、制御手段１８に転送する。また、ネットワークＩＦ１１は、制御手段１８で生成されたデータを受け取り、他の機器へ送信するためにネットワーク３上に送出する。
【００２０】
画像読取手段１２は、典型的には、ＡＤＦ（Ａｕｔｏｍａｔｉｃ  Ｄｏｃｕｍｅｎｔ  Ｆｅｅｄｅｒ）１１０と、イメージスキャナ１１１と、を含む。ＡＤＦ１１０は、自身に備わるトレイ上に載置された原稿を一枚ずつ、イメージスキャナ１１１に供給する。イメージスキャナ１１１は、ＡＤＦ１１０により供給された原稿を光学的に読み取り、読み取った原稿を表すラスターデータを制御手段１８に送信する。
【００２１】
上記ラスターデータは、所定のデータ形式（つまり、予め定められたデータ形式、または、ユーザにより指定されたデータ形式）に制御手段１８により変換される。記憶手段１３は、例えば、ハードディスクドライブであって、制御手段１８により変換された電子ファイルを保存する。なお、記憶手段１３は、ＨＤＤ以外にも、画像形成装置１に対し挿抜可能なＵＳＢメモリ等でも構わない。
【００２２】
プリンタコントローラ１４は、例えばＡＳＩＣやソフトウェアにより実現され、制御手段１８から受信したＰｏｓｔＳｃｒｉｐｔデータに対しＲＩＰ（Ｒａｓｔｅｒ  Ｉｍａｇｅ  Ｐｒｏｃｅｓｓｉｎｇ）を行い、この処理で得られたラスターデータを画像形成手段１５に送信する。
【００２３】
画像形成手段１５は、例えば電子写真方式およびタンデム方式で、受信ラスターデータが表す画像を用紙に印刷し出力する。なお、画像形成手段１５は、電子写真方式以外にも、インクジェット方式等を採用していても構わないし、タンデム方式以外にも、４サイクル方式を採用しても構わない。
【００２４】
入力／表示手段１６は、例えば、タッチパネルまたはタッチスクリーンであって、制御手段１８による表示制御の下、各種操作画面を表示する。ここで、操作画面は、例えばアイコン、ソフトウェアボタンまたはソフトウェアキーのように、ユーザが操作可能なグラフィック要素を、予め定められた位置に操作部として含む。なお、以下では、ソフトウェアボタンおよびソフトウェアキーを、ソフトボタンおよびソフトキーと略記する。入力／表示手段１６は、ユーザにより操作されると、画面上でユーザが操作したタッチ位置を示す情報を制御手段１８に送信する。
【００２５】
入力手段１７は、ハードウェアキーまたはハードウェアボタン（以下、ハードキーまたはハードボタンという）であって、より具体的には、テンキー、メニューボタン等を含む。かかるハードキーまたはハードボタンが操作されると、入力手段１７は、操作されたキーまたはボタン等を示す操作信号を制御手段１８に送信する。
【００２６】
制御手段１８は、例えば、ＲＯＭ１１２と、ＣＰＵ１１３と、ＳＲＡＭ１１４と、ＮＶＲＡＭ１１５と、を含む。ＣＰＵ１１３は、ＲＯＭ１１２に予め記憶された制御プログラムを、ＳＲＡＭ１１４を作業領域として用いつつ実行する。また、ＣＰＵ１１３は、印刷に関わる各種設定値等を、不揮発性メモリであるＮＶＲＡＭ１１５に保存する。また、制御プログラムの実行により、ＣＰＵ１１３は、画像読取手段１２または画像形成手段１５の動作を制御したり、記憶手段１３内の電子ファイルに所定の処理を行ったりする。上記に加え、ＣＰＵ１１３は、下記の表示制御を行って、入力／表示手段１６に各種操作画面を適宜表示させる。
【００２７】
《第３欄：第二操作画面のスライドイン表示》
ユーザは、画像形成装置１を使ってある原稿のコピーを取りたい場合、入力手段１７および／または入力／表示手段１６を所定の手順で操作する。これに応答して、制御手段１８は、入力／表示手段１６に、第一操作画面ＵＩ１（図３左側を参照）であって、コピー用の初期画面である第一操作画面ＵＩ１を表示させる。第一操作画面ＵＩ１は、例えば、原稿画質またはコピー倍率等を設定する際に操作される複数の第三操作部ＯＰ３を含む。第三操作部ＯＰ３はタップによりアクティブとなり、制御手段１８は、入力／表示手段１６に、原稿画質またはコピー倍率等の詳細を設定する別の操作画面（図示せず）を表示させる。
【００２８】
制御手段１８はさらに、入力／表示手段１６の例えば右端に、第一操作部ＯＰ１を表示させる。第一操作部ＯＰ１のスライド操作等に応答して、制御手段１８は、第二操作画面ＵＩ２（図３右側を参照）を、第一操作画面ＵＩ１上にスライドインさせつつ第一操作画面ＵＩ１に覆い被せるように、入力／表示手段１６に表示させる。
【００２９】
第二操作画面ＵＩ２は、互いに異なる機能または役割が割り当てられた複数の第二操作部ＯＰ２を含む。なお、図が見づらくならないように、図３右側では、複数の第二操作部ＯＰ２を代表して、コピー倍率等の増減（アップダウン）時に操作されるプラスキーおよびマイナスキーのみに参照符号が付されている。以上の第二操作部ＯＰ２のそれぞれは、同種別の機能および役割毎に分類される。また、第二操作画面ＵＩ２は、図３右側において仮想的な一点鎖線で示すように、例えば矩形形状を有する複数の領域Ｒに区画される。各領域Ｒは、同種別の機能および役割に割り当てられる。第二操作画面ＵＩ２において、各領域Ｒには、同種別の機能および役割を有する第二操作部ＯＰ２が配置される。例えば、第二操作部ＯＰ２としてのプラスキーまたはマイナスキーは、アップダウンキー群の領域Ｒに配置される。他にも、第二操作部ＯＰ２としての数字キー、エンターキーおよびクリアキーは、テンキー群の領域Ｒに配置される。
【００３０】
《第４欄：第二操作画面の表示制御》
しかしながら、図３右側の第二操作画面ＵＩ２のように、複数の種別が一度にまとめて表示され、その結果、多くの第二操作部ＯＰ２が表示されると、「発明の概要」の欄で説明したように、ユーザが第二操作部ＯＰ２に割り当てられた役割や機能を思い違いしてしまい、本来の意図とは異なる役割や機能を有する第二操作部ＯＰ２を誤操作する可能性がある。そこで、本画像形成装置１では、制御手段１８が、下記のような表示制御を行う。以下、図４を参照して、制御手段１８による表示制御を説明する。
【００３１】
図４において、制御手段１８は、第３欄で説明したスライドイン表示を行い（Ｓ０１）、その後、ユーザが入力／表示手段１６上で所定の操作（ジェスチャ）を行ったか否かを判断する（Ｓ０２）。所定の操作としては、長押しまたはダブルタップ等が典型的である。
【００３２】
Ｓ０２でＹｅｓと判断すると、制御手段１８は、所定の操作時にユーザが入力／表示手段１６で触れた一または複数のタッチ位置を特定する（Ｓ０３）。なお、Ｓ０２でＮｏと判断されると、Ｓ０２の処理が繰り返される。
【００３３】
Ｓ０３の後、制御手段１８は、Ｓ０３で特定したタッチ位置が第二操作画面ＵＩ２におけるどの領域Ｒに含まれるかを特定する（Ｓ０４）。
【００３４】
Ｓ０４の後に、制御手段１８は、Ｓ０４で特定した領域Ｒに含まれる第二操作部（以下、所定種別の第二操作部という）ＯＰ２を、所定種別以外の第二操作部ＯＰ２と区別すべく、所定種別以外の第二操作部ＯＰ２をユーザが操作可能な対象から外す（Ｓ０５）。なお、所定種別以外の第二操作部ＯＰ２をユーザ操作の対象から外す手法としては下記（１）〜（４）が典型的である。
（１）所定種別以外の第二操作部ＯＰ２を非表示にする。
（２）所定種別以外の第二操作部ＯＰ２を半透明で表示する。
（３）所定種別以外の第二操作部ＯＰ２をグレイアウトする。
（４）所定種別以外の第二操作部ＯＰ２の操作を受け付けない。
【００３５】
《第５欄：第二操作画面の表示制御の作用・効果》
第４欄の表示制御では、ユーザは、表示された第二操作画面ＵＩ２において、自分が操作したい役割や機能が割り当てられた領域Ｒに対して所定の操作（ジェスチャ）を行う。これに応じて、制御手段１８は、操作された領域Ｒ以外に属する第二操作部ＯＰ２をユーザ操作の対象から外す処理を行う。以上の処理の結果、例えば、テンキー群の領域Ｒに対し所定の操作をユーザが行った場合、アップダウンキー群の領域Ｒに配置される第二操作部ＯＰ２（プラスキーおよびマイナスキー）はユーザ操作の対象から外される。これによって、スライドイン表示された第二操作部ＯＰ２をユーザが正しく操作可能で、スライドイン表示された第二操作画面ＵＩ２に含まれる第二操作部ＯＰ２の誤操作を低減可能な入力／表示装置１９、およびこれを備えた画像形成装置１を提供することができる。
【００３６】
また、図５左側に示すように、ユーザが第二操作画面ＵＩ２において二つの領域Ｒをタッチ操作した場合、制御手段１８は、これら二つの領域Ｒに対応する種別を、所定の種別として特定して、図５右側に示すように。二つの所定の種別以外の第二操作部ＯＰ２をユーザ操作の対象から外すことも可能である。なお、図５右側では、非表示処理を行った場合の第二操作画面ＵＩ２が例示される。
【００３７】
《第６欄：第二操作画面の詳細》
図４のＳ０４にて領域Ｒを特定するために、第二操作画面ＵＩ２において、各領域Ｒは、図６に示すように、互いにオーバーラップしない矩形形状を有する。図６では、複数の領域Ｒとして、種別１の領域Ｒ１が左端に、種別２，３の領域Ｒ２，ＰＲ３が領域Ｒ１の右隣に例示される。他にも、図６に示すように、種別４，５の領域Ｒ４，ＰＲ５が示される。なお、図６では、各領域Ｒは互いに離れている場合が例示されているが、これらは隣接していても構わない。制御手段１８は、各領域Ｒの一組みの対角に位置する二つの頂点Ｐ１，Ｐ４のｘ座標位置，ｙ座標位置が記述されたテーブルをＮＶＲＡＭ１１５に予め保持する。図示した例では、頂点Ｐ１は左上の点で、頂点Ｐ４は右下の点である。以下の表１は、このテーブルの一例を示している。
【００３８】
【表１】
2016091517.tif 000003
【００３９】
制御手段１８は、上記以外にも、図７に示すように、領域Ｒごとに、ある一つの頂点Ｐ１の座標位置と、横方向（ｘ軸方向）への距離Ｘと、縦方向（ｙ軸方向）への距離Ｙとが記述されたテーブルをＮＶＲＡＭ１１５に予め保持していても構わない。図示した例では、頂点Ｐ１は左上の点である。以下の表２は、このテーブルの一例を示している。
【００４０】
【表２】
2016091517.tif 000004
【００４１】
《第７欄：種別の特定処理の詳細》
図４のＳ０３，Ｓ０４のため、遅くとも図４のＳ０３の直前に、制御手段１８は、上記テーブルをＳＲＡＭ１１４に読み込む。また、制御手段１８は、図４のＳ０３にて、ユーザの所定の操作に応答して入力／表示手段１６が出力した信号に基づき、ユーザのタッチ位置を特定する。その後、制御手段１８は、ＳＲＡＭ１１４に読み込んだテーブルに基づき、特定したタッチ位置が領域Ｒに含まれるかを特定し、さらに、それに対応する種別を特定する。以下、上記テーブルの第一例を用いた場合における、領域Ｒの特定処理について、図８を参照して説明する。なお、以下の説明では、特定したタッチ位置の座標値を（ｘ０，ｙ０）とする。
【００４２】
まず、制御手段１８は、Ｓ０３で特定されたタッチ位置（ｘ０，ｙ０）から一組みを選択し（図８：Ｓ１１）、さらに、ＳＲＡＭ１１４上のテーブルに記述されている最初の種別を選択する（Ｓ１２）。
【００４３】
次に、制御手段１８は、Ｓ１１で選択した座標値（ｘ０，ｙ０）が下記の四つの条件の全てを満たすか否かを判断する（Ｓ１３〜Ｓ１６）。具体的には、Ｓ１２で選択した種別について、ｘ０が頂点Ｐ１のｘ座標値よりも大きいか否かが判断され（Ｓ１３）、ｘ０が頂点Ｐ４のｘ座標値よりも小さいか否かが判断され（Ｓ１４）、さらに、ｙ０が頂点Ｐ１のｙ座標値よりも大きいか否かが判断され（Ｓ１５）、ｙ０が頂点Ｐ４のｙ座標値よりも小さいか否かが判断される（Ｓ１６）。
【００４４】
Ｓ１３〜Ｓ１６のいずれかでＮｏと判断すると、制御手段１８は、テーブルの末尾に記述された種別が選択済みか否かを判断する（Ｓ１７）。
Ｓ１７でＮｏと判断すると、制御手段１８は、テーブルにおける次の種別を選択し（Ｓ１８）、新たに選択した種別に対してＳ１３〜Ｓ１６を行う。
【００４５】
それに対し、Ｓ１３〜Ｓ１６の全てでＹｅｓと判断すると、制御手段１８は、今回のＳ１１で選択した種別を、前述の所定の種別として記憶する（Ｓ１９）。
Ｓ１７でＹｅｓと判断するか、Ｓ１９を行った後に、制御手段１８は、Ｓ０３で特定されたタッチ位置の中に未選択のものがあるか否かを判断する（Ｓ１１０）。
【００４６】
Ｓ１１０でＹｅｓと判断すると、制御手段１８は、未選択のタッチ位置を選択し（Ｓ１１１）、新たに選択したタッチ位置に対しＳ１２以降を行う。
それに対し、Ｓ１１０でＮｏと判断すると、制御手段１８は、図８の処理を終了する。
【００４７】
《第８欄：種別の特定処理の変形例》
第７欄の種別の特定処理によれば、複数の領域Ｒが離れている場合、ユーザが複数の領域Ｒの間をタッチできずにいた場合（図９を参照）、所定の種別を特定することはできない。かかる状況に対処すべく、制御手段１８は、図１０の種別の特定処理を行っても舞わない。図１０は、図８のフロー図と比較すると、Ｓ１７でＹｅｓと判断した直後に、種別の推定処理（Ｓ１１２）を行う点でのみ相違する。それ以外に両フロー図に相違点は無いので、図１０において、図８のステップに相当するものには同一ステップ番号を付け、それぞれの説明を省略する。
【００４８】
Ｓ１１１において、制御手段１８は、図１１に示すように、タッチ位置（ｘ０，ｙ０）から各領域Ｒが有する各頂点までの距離Ｄを算出し、最小距離Ｄｍｉｎを有する領域Ｒを選択し、それに対応する種別を、所定の種別とする。なお、図１１では、ある一つの頂点までの距離Ｄと、最小距離Ｄｍｉｎとが例示されている。
【００４９】
なお、距離Ｄは、ある頂点Ｐの座標値を（ｘ，ｙ）とすると、例えば、次式（１）で求められる。
Ｌ＝√（ｘ０−ｘ）2＋（ｙ０−ｙ）2  …（１）
【００５０】
なお、上記では、タッチ位置から各領域Ｒの頂点までの距離Ｄに基づき、種別の特定を行っていた。しかし、これに限らず、タッチ位置から各領域Ｒの辺への距離に基づき、種別の特定を行っても構わない。
【００５１】
《第９欄：第二操作画面の表示制御の第一変形例》
また、制御手段１８は、図４に示す第二操作画面の表示制御に代えて、図１２の第二操作画面の表示制御を行っても舞わない。図１２は、図４のフロー図と比較すると、下記の点でのみ相違する。
【００５２】
即ち、制御手段１８は、Ｓ０５の後、一定時間、ユーザによる入力／表示手段１６の操作が無い場合（Ｓ２１）、元の第二操作画面ＵＩ２（つまり、スライドイン直後の第二操作画面ＵＩ２）に戻す（Ｓ２２）。換言すると、制御手段１８は、ユーザの操作対象から外れた第二操作部ＯＰ２を再度操作対象に戻す。
【００５３】
また、制御手段１８は、Ｓ２１で一定時間が未経過の場合やＳ２２を行った後にＳ０２に戻る。
【００５４】
《第１０欄：第二操作画面の表示制御の第二変形例》
また、制御手段１８は、図４や図１２の第二操作画面の表示制御に代えて、図１３の第二操作画面の表示制御を行っても構わない。図１３は、図４のフロー図と比較すると、下記の点でのみ相違する。
【００５５】
即ち、制御手段１８は、Ｓ０２でＹｅｓと判断した後、所定種別以外が操作対象から既に外されているか否かを判断する（Ｓ３１）。Ｎｏと判断すると、制御手段１８はＳ０３を行うが、Ｙｅｓと判断すると、制御手段１８は、元の第二操作画面ＵＩ２に戻し（Ｓ３２）、その後、Ｓ０２に戻る。
【００５６】
《第１１欄：第二操作画面の表示制御の第三変形例》
制御手段１８は、上記以外にも、図１４に示すように、図１２および図１３を組み合わせた第二操作画面の表示制御を行っても構わない。
【産業上の利用可能性】
【００５７】
本発明に係る入力／表示装置および画像形成装置は、スライドイン表示された第二操作部をユーザが正しく選択可能であり、複写機、ファクシミリまたは印刷機、もしくはこれらの機能を備えた複合機等、様々な機器に好適である。
【符号の説明】
【００５８】
１  画像形成装置
１６  入力／表示手段
１８  制御手段
１９  入力／表示装置
【図１】
2016091517.tif 000005
【図２】
2016091517.tif 000006
【図３】
2016091517.tif 000007
【図４】
2016091517.tif 000008
【図５】
2016091517.tif 000009
【図６】
2016091517.tif 000010
【図７】
2016091517.tif 000011
【図８】
2016091517.tif 000012
【図９】
2016091517.tif 000013
【図１０】
2016091517.tif 000014
【図１１】
2016091517.tif 000015
【図１２】
2016091517.tif 000016
【図１３】
2016091517.tif 000017
【図１４】
2016091517.tif 000018